(57)【特許請求の範囲】
【請求項１】
ＭＰＥＧ２（Moving Picture Experts Group Phase2）−ＰＳ（Program Stream）形式に準拠した第１の圧縮映像音声データとＭＰＥＧ２−ＴＳ（Transport Stream）形式に準拠した第２の圧縮映像音声データとをデコード可能な圧縮映像音声データデコード装置であって、
第１のデータ読み出し部から読み出された第１の圧縮映像音声データの内容を解釈し、ＰＥＳ（Packetized Elementary Stream）パケットに編集して出力する第１のデータ解釈部と、
上記第１のデータ読み出し部とは異なる第２のデータ読み出し部から読み出された第２の圧縮映像音声データの内容を解釈し、上記第１のデータ解釈部と同様にＰＥＳパケットに編集して出力する第２のデータ解釈部と、
上記第１のデータ解釈部、あるいは、上記第２のデータ解釈部から出力したＰＥＳパケットの内容を判定してＰＥＳパケットに含まれる圧縮映像データ及び圧縮音声データを分離する分離化部と、
上記分離化部で分離した圧縮映像データと圧縮音声データを復号して映像信号及び音声信号に伸長する圧縮映像音声データ伸長部と、
上記圧縮映像音声データ伸長部で伸長した音声信号を出力する音声出力部と、
上記圧縮映像音声データ伸長部で伸長した映像信号を出力する映像出力部と、
を備え、
上記第１の圧縮映像音声データ又は上記第２の圧縮映像音声データを再生する際に、上記分離化部、上記圧縮映像音声データ伸長部、上記音声出力部、上記映像出力部の全てが共用され、
上記ＭＰＥＧ２−ＴＳ形式に準拠した第２の圧縮映像音声データは、ＭＰＥＧ２−ＰＳ形式に準拠した第１の圧縮映像音声データに変換されることなく再生されることを特徴とする圧縮映像音声データデコード装置。
【請求項２】
前記外部から伝送されたデータはデジタル放送信号であることを特徴とする請求項１に記載の圧縮映像音声データデコード装置。
【請求項３】
ＭＰＥＧ２（Moving Picture Experts Group Phase2）−ＰＳ（Program Stream）形式に準拠した第１の圧縮映像音声データとＭＰＥＧ２−ＴＳ（Transport Stream）形式に準拠した第２の圧縮映像音声データとをデコード可能な圧縮映像音声データデコード方法であって、
上記第１の圧縮映像音声データをデコードするときには、第１のデータ読み出し部から読み出された第１の圧縮映像音声データの内容を解釈し、ＰＥＳ（Packetized Elementary Stream）パケットに編集し、
上記第２の圧縮映像音声データをデコードするときには、上記第１のデータ読み出し部とは異なる第２のデータ読み出し部から読み出された上記第２の圧縮映像音声データの内容を解釈し、上記と同様にＰＥＳパケットに編集し、
上記第１の圧縮映像音声データ、あるいは、上記第２の圧縮映像音声データから編集したＰＥＳパケットの内容を判定してＰＥＳパケットに含まれる圧縮映像データ及び圧縮音声データを分離し、
上記分離した圧縮映像データと圧縮音声データを復号して映像信号及び音声信号に伸長し、
上記伸長した音声信号及び映像信号を出力し、
上記第１の圧縮映像音声データ又は上記第２の圧縮映像音声データを再生する際に、上記した圧縮映像データ及び圧縮音声データのＰＥＳパケットに分離する回路手段、上記した圧縮映像データを映像信号に伸張し上記した圧縮音声データを音声信号に伸張する回路手段、上記した伸長した音声信号を出力する手段、上記した伸張した映像信号を出力する手段の全てを共用し、
上記ＭＰＥＧ２−ＴＳ形式に準拠した第２の圧縮映像音声データは、ＭＰＥＧ２−ＰＳ形式に準拠した第１の圧縮映像音声データに変換されることなく再生されることを特徴とする圧縮映像音声データデコード方法。
【請求項４】
前記第１の圧縮映像音声データは記録媒体から読み出されたデータであることを特徴とする請求項３に記載の圧縮映像音声データデコード方法。
【請求項５】
前記第２の圧縮映像音声データは外部から伝送されたデータであることを特徴とする請求項３に記載の圧縮映像音声データデコード方法。
【請求項６】
前記外部から伝送されたデータはデジタル放送信号であることを特徴とする請求項５に記載の圧縮映像音声データデコード方法。
【発明の詳細な説明】
【０００１】
【産業上の利用分野】
本発明は、圧縮映像音声データデコーダ装置及び圧縮映像音声データデコード方法に係り、特に、ＭＰＥＧ２（Moving Picture Experts Group Phase2 ）と通信衛星を組み合わせたデジタル放送の受信再生と、ＣＤ−ＲＯＭやＤＶＤといったデジタル蓄積メディアに記録されたＭＰＥＧ２の圧縮映像音声データの再生とが可能な圧縮映像音声データデコード装置及び圧縮映像音声データデコード方法に関する。
【０００２】
【従来の技術】
近年、映像音声圧縮技術の適用は、通信回線を用いて映像音声信号を伝送する通信分野から、オーディオやビデオのデジタル化を指向する家電・コンピュータ分野のＣＤ−ＲＯＭやＤＶＤといったデジタル蓄積メディアへと、広範囲に及んでいる。
【０００３】
特に、高能率映像音声圧縮技術であるＭＰＥＧ２の標準化を背景に、通信分野では、このＭＰＥＧ２と通信衛星を組み合わせた新しいデジタル放送サービスが米国では既に開始されており、日本でも近くサービスが開始される。
【０００４】
また、家電・コンピュータ分野では、カラオケ，映画などを圧縮したＭＰＥＧ２データを記録する蓄積メディア（例えば、ＣＤ−ＲＯＭ，ＤＶＤなど）やそれを再生するためのプレーヤーや周辺機器、上記のデジタル放送の受信機（ＩＲＤ：Integrated Reciever Decoder ）、および番組を録画するデジタルＶＴＲなどの研究開発が進められている。
【０００５】
ここで、ＭＰＥＧ２の規格では、１つのプログラム（映画，番組など）を基本的なパケットに多重化して時分割伝送するＭＰＥＧ２−ＰＳ（Program Stream）形式と、マルチプログラム対応の多重・分離方式であるＭＰＥＧ２−ＴＳ（Transport Stream）形式の２種類がある。
【０００６】
ＭＰＥＧ２−ＰＳは、主に１つの映画やプログラムをＤＶＤなどの蓄積メディアに記録・再生するシステムで利用される。また、ＭＰＥＧ２−ＴＳは、主に複数の番組を伝送する放送システムやＡＴＭ（Asynchronous Transfer Mode）で利用し、ディジタル放送受信機やデジタルＶＴＲのシステムでも利用する。現在は、ＭＰＥＧ２−ＰＳ形式で映画などのデータを再生する装置や、ＭＰＥＧ２−ＴＳ形式で伝送される放送番組を録画・再生するディジタル放送受信機，デジタルＶＴＲなどの専用機器の開発が進められている。
【０００７】
【発明が解決しようとする課題】
ところで、従来は、ＭＰＥＧ２−ＰＳ形式やＭＰＥＧ２−ＴＳ形式という異なったストリーム形式で圧縮された映像音声情報を再生するためには、それぞれの圧縮規格に対応した復号手段（デコーダ）を備えた専用の装置が必要であった。例えば、ＭＰＥＧ２−ＰＳ形式の映像音声情報データを再生するためには、再生側にＭＰＥＧ２−ＰＳ用のデコーダが必要であり、ＭＰＥＧ２−ＴＳ形式のデータを再生するためにはＭＰＥＧ２−ＴＳ用のデコーダが必要となる。そのため、それぞれのデータを再生するには、そのデコーダを含む専用装置を用意する必要があった。
【０００８】
したがって、それぞれの用途に適したデータを専用の装置で再生する必要があるため、ユーザは個々の装置を揃える必要があり、システムとしての汎用性に欠けるという問題が生じる。また、（ＭＰＥＧ２−ＰＳやＭＰＥＧ２−ＴＳのように）ストリーム形式の異なるデータをやり取りするためには、個々の装置を接続するだけでなく、別途データを変換するなどの手段が必要となり、そのような製品はいまだ見当たらない。
【０００９】
本発明は上記の点に鑑みなされたもので、その目的とするところは、ＭＰＥＧ２−ＰＳ形式とＭＰＥＧ２−ＴＳ形式の映像音声データを１つの装置で再生可能とすること、例えば、ＭＰＥＧ２−ＴＳ形式の映像音声データを、ＭＰＥＧ２−ＴＳ形式で伝送される放送番組を再生するディジタル放送受信機で、再生可能とすることにある。
【００１０】
【課題を解決するための手段】
本発明による圧縮映像音声データデコード装置は、上記した目的を達成するため、
映像音声情報をＭＰＥＧ２−ＰＳ形式で符号化したデータを記録した記録メディア（例えば、ＤＶＤ）から、データを記録単位（セクタ単位）毎に読み出すための第１の読出し手段と、
この第１の読出し手段を用いて読み出したデータを再生するために、データに含まれるヘッダ情報（パックヘッダやパケットヘッダ）を解釈して、データをビデオ・パケット，オーディオ・パケット，その他のシステム情報（再生出力の時間など）の各種別に分離するための第１のデータ解釈手段と、
映像音声情報をＭＰＥＧ２−ＴＳ形式で符号化したデータを、ＴＳパケット単位毎に読み出すための第２の読出し手段と、
この第２の読出し手段を用いて読み出したデータを再生するために、ＴＳパケットのヘッダ情報を解釈して所定の形式（ＭＰＥＧ２のＰＥＳパケット）に編集し、データをビデオ・パケット，オーディオ・パケット，その他のシステム情報（再生出力の時間など）の各種別に分離するための第２のデータ解釈手段と、
上記第１あるいは第２のデータ解釈手段を用いて分離したビデオ・パケットやオーディオ・パケットを復号するためのデータ復号手段と、
このデータ復号手段を用いて個別に復号したデータを、出力装置（例えば、ビデオ・モニタ，スピーカなど）に出力するデータ出力手段と、
を具備した構成をとる。
【００１１】
記録メディアの再生時には、第１の読出し手段を用いて記録メディアのデータを記録単位毎に読み出し、第１のデータ解釈手段を用いてデータを解釈して、ビデオ，オーディオなどの各個別のデータ・パケットに分離する。その後、データ復号手段を用いて上記個別のデータ・パケットを復号して、データ出力手段を用いてデータを出力装置に出力する。
【００１２】
また、映像音声情報をＭＰＥＧ２−ＴＳ形式で符号化したデータの再生時は、第２の読出し手段を用いてデータを読み出し、第２のデータ解釈手段を用いて、データのヘッダ情報を解釈して所定の形式（ＭＰＥＧ２のＰＥＳパケット）に編集し、データをビデオ・パケット，オーディオ・パケット，その他のシステム情報（再生出力の時間など）の各種別に分離する。その後、データ復号手段を用いて上記各個別のデータを復号し、データ出力手段を用いてデータを出力装置に出力する。
【００１３】
【発明の実施の形態】
以下、本発明の実施の形態を、図面を参照して説明する。
図１は、本発明の一実施形態に係る圧縮映像音声データデコード装置の構成図である。ここで、本実施形態の圧縮映像音声データデコード装置では、再生専用メディア１（例えば、ＤＶＤ）に、セクタ単位で記録したＭＰＥＧ２−ＰＳ形式に準拠した圧縮映像音声データ（以下、タイプ１用データと称す）と、放送受信手段を介してＴＳパケット単位で受信するＭＰＥＧ２−ＴＳ形式に準拠した圧縮映像音声データ（以下、タイプ２用データと称す）との、２種類の異なる圧縮形式のデータをとり扱う。
【００１４】
図１において、１００は圧縮映像音声データデコード装置で、タイプ１用データ読出し部１０１と、タイプ１用データ解釈部１０２と、タイプ２用データ解釈部１０３と、タイプ２用データ読出し部１０４と、分離化部１０５と、圧縮映像音声データ伸長部１０６と、音声出力部１０７と、映像出力部１０８と、制御部１０９と、操作入力部１１０とから構成される。また、１は再生専用メディア（例えば、ＤＶＤ；以下、メディアと称す）、２は再生装置（例えば、ビデオ・モニタ，スピーカ，テレビ）である。なお、本実施形態の圧縮映像音声データデコード装置１００は、ＭＰＥＧ２−ＴＳ形式で伝送される放送番組を再生するディジタル放送受信機の構成に、タイプ１用データ読出し部１０１とタイプ１用データ解釈部１０２とを付加した構成となっている。
【００１５】
タイプ１用データ読出し部１０１は、ＭＰＥＧ２−ＰＳ形式に準拠したメディア１の内容を、セクタ単位（１パック）毎に読み出す。タイプ１用データ解釈部１０２は、メディア１から読み出したデータの内容を解釈し、ＰＥＳパケットに編集して出力する。
【００１６】
タイプ２用データ読出し部１０４は、ＭＰＥＧ２−ＴＳ形式に準拠したタイプ２用データをＴＳパケット単位に読み出す。タイプ２用データ解釈部１０３は、タイプ２用データ読出し部１０４から読み出したデータの内容を解釈し、ＰＥＳパケットに編集して出力する。
【００１７】
分離化部１０５は、タイプ１用データ解釈部１０２、あるいは、タイプ２用データ解釈部１０３から出力したパケットの内容を見て、それぞれを圧縮映像データや圧縮音声データのＰＥＳ（Packetized Elementary Stream）パケットに分離する。圧縮映像音声データ伸長部（ＭＰＥＧ２デコーダ）１０６は、分離した圧縮映像データ，圧縮音声データを復号し、元の映像音声信号に伸長する。
【００１８】
音声出力部１０７は、圧縮映像音声データ伸長部１０６で伸長した音声データを、再生装置２（例えば、スピーカー，テレビなど）のインタフェースに適した信号に変換して出力する。映像出力部１０８は、圧縮映像音声データ伸長部１０６で伸長した映像データを、再生装置２（例えば、ビデオ・モニタ，テレビなど）のインタフェースに適した信号に変換して出力する。
【００１９】
制御部１０９は、圧縮映像音声データデコード装置１００における各部の動作を統括的に制御する。
【００２０】
また、操作入力部１１０は、操作ボタンやポインティングデバイス（タッチパネル）等からなり、圧縮映像音声データデコード装置１００に対してユーザが入力操作を行う。
【００２１】
本実施形態の特徴は、ＭＰＥＧ２−ＴＳ形式で伝送される放送番組を再生するディジタル放送受信機の構成に、タイプ１用データ読出し部１０１とタイプ１用データ解釈部１０２とを付加した構成をとることにより、圧縮形式の異なるタイプ１用データとタイプ２用データを再生する際に、分離部１０５，圧縮映像音声データ伸長部１０６，音声出力部１０７，映像出力部１０８の部分を共用することができる点にある。
【００２２】
次に、本実施形態における、タイプ１用データおよびタイプ２用データの再生に関する詳細について説明する。
【００２３】
まず、図２，図３を用いて、タイプ１用のメディア１に記録しているＭＰＥＧ２−ＰＳに準拠して圧縮されたタイプ１用データの構成と、ＭＰＥＧ２−ＴＳ形式に準拠したタイプ２用データの構成とについて説明する。
【００２４】
図２に示すように、ＭＰＥＧ２−ＰＳに準拠して圧縮された１つのＭＰＥＧ２プログラムストリーム２００は、１つ以上のパック２１０と、終了コード２２０とから構成される。パック２１０は、前記タイプ１用データ読出し部１０１でメディア１の内容を読み出す単位（１セクタ；ＤＶＤの場合は２０４８バイト）となるものである。また、終了コード２２０は、プログラムの終了を示すデータである。
【００２５】
１つのパック２１０は、パック・ヘッダ２３０と、システムヘッダ２４０と、ＰＥＳパケット２５０とから構成される。
【００２６】
パック・ヘッダ２３０は、パックの先頭を示す開始コード２３１と、パックがＭＰＥＧ１形式（値００）かＭＰＥＧ２−ＰＳ（値０１）かの識別のために用いるＩＤ２３２と、前記のタイプ１用データ解釈部１０２，分離化部１０５，圧縮映像音声データ伸長部１０６において時刻基準となる同期信号をセット・校正するための情報であるＳＣＲ（System Clock Reference；システム時刻基準参照値）２３３と、パケット単位で多重化した圧縮映像データや圧縮音声データのビットレートを表す情報である多重化レート２３４との、４つ情報を含むデータから構成される（ＤＶＤの場合は１４バイト）。
【００２７】
システムヘッダ２４０は、ストリーム全体の概要を記述（音声チャネル数や映像チャネル数などのパラメータ情報）したもので、最初のパックに付加する。２番目以降のパックではオプションとする。
【００２８】
ＰＥＳパケット２５０（ＤＶＤの場合は２０３４バイト）は、開始コード２５２と、ストリームＩＤ２５３と、パケット長２５４と、再生出力の時間情報２５５とを、含んで構成されるパケット・ヘッダ２５１、および、パケット・データ２５６から構成される。
【００２９】
開始コード２５２は、ＰＥＳパケットの先頭を示すものである。ストリームＩＤ２５３は、ＰＥＳパケット内のデータが音声データであるか映像データであるか、あるいは特定のメッセージやコマンドであるかなどを識別するものである。パケット長２５４は、このフィールドに続くパケット・データ２５６のデータ長を示すものである。再生出力の時間情報２５５は、このフィールドに続くパケット・データ２５６を再生する際に利用するＰＴＳ（Presentation Time Stamp ；再生出力の時刻管理情報）やＤＴＳ（Decoding Time Stamp ；復号の時刻管理情報）といった時刻情報である。パケット・データ２５６は、圧縮音声情報や圧縮映像情報の実データである。
【００３０】
また、図３に示すように、ＭＰＥＧ２−ＴＳに準拠して圧縮されたＭＰＥＧ２トランスポートストリーム３００は、１つ以上の１８８バイトの固定長ＴＳパケット３１０から構成される。これは通常、前記ＰＥＳパケット２５０より短い。
【００３１】
ＴＳパケット３１０は、ＴＳヘッダ３２０と、データ領域３３０とから構成される。
【００３２】
ＴＳヘッダ３２０は、ＴＳパケット３１０に関する情報を格納したヘッダで、少なくとも同期バイト３２１と、ＰＩＤ（Packet Identification ；パケット識別情報）３２２と、アダプテーション・フィールド制御３２３とを含む構成となる。
【００３３】
同期バイト３２１は、ＭＰＥＧ２−ＴＳ形式のデータを復号する部分（ＭＰＥＧ２−ＴＳデコーダ）でＴＳパケット３１０の先頭を検出するためのデータである。ＰＩＤ３２２は、ＴＳパケット３１０の個別ストリームの属性（例えば、映像データのＰＩＤ，音声データのＰＩＤなど）を示す識別子である。アダプテーション・フィールド制御３２３は、ＴＳパケット３１０において後述するアダプテーション・フィールド３５０の有無、およびペイロード３４０の有無を示す。
【００３４】
データ領域３３０は、該データ領域３３０に、ペイロード３４０のみが存在する場合と、アダプテーション・フィールド３５０のみが存在する場合と、アダプテーション・フィールド３５０とペイロード３４０が存在する場合との、３種類の構成を有する。このＴＳパケットのデータ領域３３０の構成は、前記アダプテーション・フィールド制御３２３の値によって決定される。
【００３５】
ここで、ペイロード３４０とは、圧縮音声情報や圧縮映像情報の実データである。アダプテーション・フィールド３５０とは、個別ストリームに関する付加情報や無効データ・バイトを、オプションで入れることができる情報である。
【００３６】
アダプテーション・フィールド３５０は、少なくともアダプテーション・フィールド長３５１と、ＰＣＲ（Program Clock Reference ；プログラム時刻基準参照値）３５２とを含んだ構成となる。アダプテーション・フィールド長３５１は、該アダプテーション・フィールドの長さを示す。ＰＣＲ３５２は、圧縮映像音声データを復号する際に時刻基準となる同期信号をセット・校正するための情報である（前記ＳＣＲ２３３と同様）。
【００３７】
次に、図４，図５を用いて、上述した記録データ構成を備えたタイプ１用データ、および、タイプ２用データの再生処理について説明する。
【００３８】
図４は、タイプ１用データの再生処理４００を示すフローチャートである。図４において、まず、タイプ１用データ読出し部１０１で、順番にパック２１０単位で読み出す（ステップ４１０）。次に、読み出したデータが終了コード２２０であるか否かを判定する（ステップ４２０）。そして、データが終了コード４２０であれば、再生処理を終了する。それ以外は、タイプ１用データ解釈部１０２で、パック・ヘッダ２３０内の開始コード２３１や多重化レート２３４、およびパケット・ヘッダ２５１内の開始コード２５２やパケット長２５４などを参照して、パック２１０をパケット２５０単位に分割する（ステップ４３０）。
【００３９】
次に、分離化部１０５で、分割された各ＰＥＳパケット２５０のパケット・ヘッダ２５１内のストリームＩＤ２５３を参照して、該ＰＥＳパケット内のパケット・データ２５６が映像データであるか音声データであるかを識別し、分離する（ステップ４４０）。そして、パケット・ヘッダ２５１内の再生出力の時間情報２５５を参照して、映像データと音声データの同期を取りながら、圧縮映像音声データ伸長部１０６で分離した各パケット・データ２５６を元の映像信号，音声信号に伸長し、音声出力部１０７と映像出力部１０８で、映像信号，音声信号を再生装置２のインタフェースに適した信号に変換して出力する（ステップ４５０）。
【００４０】
図５は、タイプ２用データの再生処理５００を示すフローチャートである。図５において、まず、タイプ２用データ読出し部１０４で、タイプ２用データをＴＳパケット３１０単位毎に読み出す（ステップ５１０）。そして、タイプ２用データ解釈部１０３でＴＳヘッダ３２０の内容を解釈して、１つ以上のＴＳパケット３１０のデータ領域３３０をＰＥＳパケット２５０に編集する（ステップ５２０）。
【００４１】
次に、分離化部１０５で、分割された各ＰＥＳパケットのパケット・ヘッダ２５１内のストリームＩＤ２５３を参照して、該ＰＥＳパケット内のパケット・データ２５６が映像データであるか音声データであるかを識別し、分離する（ステップ５３０）。そして、パケット・ヘッダ２５１内の再生出力の時間情報２５５を参照して、映像データと音声データの同期を取りながら、圧縮映像音声データ伸長部１０６で分離した各パケット・データ２５６を元の映像信号，音声信号に伸長し、音声出力部１０７と映像出力部１０８で、映像信号，音声信号を再生装置２のインタフェースに適した信号に変換して出力する（ステップ５４０）。
【００４２】
以上、本実施形態による圧縮映像音声データデコード装置１００では、ＭＰＥＧ２−ＴＳに準拠したデータと、それ以外のデータ（すなわち、記録元がタイプ１用メディア１である）とを、１つの装置で再生することが可能となる。
【００４３】
【発明の効果】
以上のように本発明によれば、ＭＰＥＧ２−ＴＳ形式に準拠した圧縮映像音声データ（タイプ２用データ）と、ＭＰＥＧ２−ＰＳ形式に準拠した圧縮映像音声データ（タイプ１用データ）とを、１つの装置で再生することができ、ユーザにとって大いに利便性が向上する。また、圧縮形式の異なるタイプ１用データとタイプ２用データを再生する際に、分離部１０５，圧縮映像音声データ伸長部１０６，音声出力部１０７，映像出力部１０８の部分を共用することができるので、装置規模を小さくすることができる。
【図面の簡単な説明】
【図１】本発明の一実施形態に係る圧縮映像音声データデコード装置の構成図である。
【図２】タイプ１用データ（ＭＰＥＧ２−ＰＳ形式に準拠した圧縮映像音声データ）の記録データ構成を示す説明図である。
【図３】タイプ２用データ（ＭＰＥＧ２−ＴＳ形式に準拠した圧縮映像音声データ）の記録データ構成を示す説明図である。
【図４】本発明の一実施形態における、タイプ１用データの再生処理を表すフローチャート図である。
【図５】本発明の一実施形態における、タイプ２用データの再生処理を表すフローチャート図である。
【符号の説明】
１  ＭＰＥＧ２−ＰＳ形式に準拠した圧縮映像音声情報を記録するタイプ１用のメディア
２  ビデオ・モニタ，スピーカ，テレビなどの再生装置
１００  圧縮映像音声データデコード装置
１０１  タイプ１用データ読出し部
１０２  タイプ１用データ解釈部
１０３  タイプ２用データ解釈部
１０４  タイプ２用データ読出し部
１０５  分離化部
１０６  圧縮映像音声データ伸長部
１０７  音声出力部
１０８  映像出力部
１０９  制御部
１１０  操作入力部
２００  ＭＰＥＧ２プログラムストリーム
２１０  パック
２２０  終了コード
２３０  パック・ヘッダ
２４０  システム・ヘッダ
２５０  ＰＥＳパケット
３００  ＭＰＥＧ２トランスポートストリーム
３１０  ＴＳパケット
３２０  ＴＳヘッダ
３３０  データ領域
【図１】
0003742688.tif 000002
【図２】
0003742688.tif 000003
【図３】
0003742688.tif 000004
【図４】
0003742688.tif 000005
【図５】
0003742688.tif 000006